(57)【要約】【課題】延設方向と水平に交差する方向に他のプレキャストコンクリート基礎を接合させるための接合部材を備えるプレキャストコンクリート基礎において、上記接合部材に棒状部材を取り付けることが容易であって当該接合部材を嵩張ったものとしないようにする。【解決手段】延設方向と水平に交差する方向に他のプレキャストコンクリート基礎を接合させるための接合部材２を備えるプレキャストコンクリート基礎１において、上記接合部材２は、上記接合のための接合部が形成された本体部２０と、この本体部２０から上記交差する方向に突出する棒状部材２１とを備えており、上記本体部２０は、雌螺子部を有し、上記棒状部材２１には、その棒状部本体２１０から張り出す鍔状部２１ｂが形成されている。スパイラル筋４３は上記接合部材２の箇所で分割されており、直交筋４２が当該スパイラル筋４３内を貫通している。【選択図】図５
2020033868.tif 000002
【特許請求の範囲】
【請求項１】
基礎の立上部を成すプレキャストコンクリート基礎において、延設方向と水平に交差する方向に他のプレキャストコンクリート基礎を接合させるための接合部材が設けられており、上記接合部材は、上記接合のための接合部が形成された本体部と、この本体部から上記交差する方向に突出する棒状部材とを備えており、上記棒状部材には、その棒状部本体から張り出す鍔状部が形成されており、
上記棒状部材に交差する水平配置の鉄筋が設けられており、
螺旋形状を有するスパイラル筋が上記接合部材の箇所で分割されており、上記水平配置の鉄筋が当該スパイラル筋内に位置していることを特徴とするプレキャストコンクリート基礎。
【請求項２】
請求項１に記載のプレキャストコンクリート基礎において、
２本の上記棒状部材が水平面内で離間しており、
上記水平配置の鉄筋が、主筋となる上端筋と平行に位置し、
上記２本の棒状部材間であり、上記鍔状部と上記本体部との間であり、上記分割された上記スパイラル筋の間であり、且つ、上記上端筋と上記水平配置の鉄筋との間に、縦アンカーボルトが設けられていることを特徴とするプレキャストコンクリート基礎。
【発明の詳細な説明】
【技術分野】
【０００１】
この発明は、建物の基礎に用いるプレキャストコンクリート基礎に関する。
【背景技術】
【０００２】
特許文献１には、予め工場生産したプレキャストコンクリートブロックを施工現場において、建物の布基礎伏図に基づき据え付けて接合することにより、布基礎を施工する方法が開示されており、この方法で用いられるプレキャストコンクリートブロックによれば、上記接合を生コンクリート或いはモルタルを接合目地に充填することを要しない構造となっている。
【先行技術文献】
【特許文献】
【０００３】
【特許文献１】特開２０１１−６４０４７号公報
【発明の概要】
【発明が解決しようとする課題】
【０００４】
ところで、上記プレキャストコンクリートブロックでは、隣り合うプレキャストコンクリートブロックを直列に接合するために、ボックスアンカーを備えている。しかしながら、隣り合うプレキャストコンクリートブロックを水平に交差状に接合するための接合部材は開示されていない。
【０００５】
隣り合うプレキャストコンクリートブロックを水平に交差状に接合するための接合部材を設ける場合、Ｌ字状の鉄筋を上記接合部材に設けることで、当該接合部材をコンクリートに固定することが考えられる。しかしながら、上記接合部材に取り付ける前に鉄筋をＬ字状にしておくのでは、上記接合部材に鉄筋を２本取り付けることが困難になり、また、鉄筋を上記接合部材に取り付けた後にＬ字状に曲げておくのでは、保管において嵩張ることになる。
【０００６】
この発明は、上記の事情に鑑み、延設方向と水平に交差する方向に他のプレキャストコンクリート基礎を接合させるための接合部材を備えるプレキャストコンクリート基礎において、上記接合部材に棒状部材を取り付けることが容易であり、当該接合部材を嵩張ったものとしないプレキャストコンクリート基礎を提供することを課題とする。
【課題を解決するための手段】
【０００７】
この発明のプレキャストコンクリート基礎は、上記の課題を解決するために、基礎の立上部を成すプレキャストコンクリート基礎において、延設方向と水平に交差する方向に他のプレキャストコンクリート基礎を接合させるための接合部材が設けられており、上記接合部材は、上記接合のための接合部が形成された本体部と、この本体部から上記交差する方向に突出する棒状部材とを備えており、上記棒状部材には、その棒状部本体から張り出す鍔状部が形成されている。また、上記棒状部材に交差する水平配置の鉄筋が設けられており、螺旋形状を有するスパイラル筋が上記接合部材の箇所で分割されており、上記水平配置の鉄筋が当該スパイラル筋内に位置している。
【０００８】
上記の構成であれば、上記接合部材の固定を、上記棒状部材を用いて行うことができるので、Ｌ字状に曲げた鉄筋を設けなくてもよい。上記棒状部材を備える接合部材は、Ｌ字状の鉄筋よりも嵩張らずに保管することが容易である。
【０００９】
上記接合部材は、上記鍔状部が互いに干渉しないように上記棒状部材を複数備えてもよい。これによれば、複数の棒状部材を備えることで、コンクリートによる上記接合部材の固定がより強固に行えることになる。
【００１０】
上記接合部材は、上記延設方向に平行な上記立上部における立上面のうちの片面の側に設けられていてもよく、このような構造において、上記鍔状部のコンクリートの適切なかぶり厚を確保しつつ、上記鍔状部によって上記接合部材を中心としたその周囲箇所におけるコンクリートの破壊耐力を向上させることができる。
【００１１】
上記棒状部本体を基準軸にして上記鍔状部から上記接合部材側に４５度で投影される領域に重なるように、螺旋形状を有するスパイラル筋が設けられていてもよい。これによれば、上記スパイラル筋により、上記接合部材を中心としたその周囲箇所におけるコンクリートの破壊耐力を向上させることができる。
【００１２】
上記スパイラル筋が上記接合部材を境に分割されていてもよい。これによれば、上記スパイラル筋を装着する作業が容易になる。
【００１３】
主筋となる上端筋が縦方向に離間して２本設けられており、上記スパイラル筋が上記２本の上端筋の間で螺旋を形成していてもよい。
【００１４】
上記棒状部本体を基準軸にして上記鍔状部から上記接合部材側に４５度で投影される領域に重なるように、上記棒状部材に交差して水平に配置される鉄筋が設けられていてもよい。これによれば、上記鉄筋により、上記接合部材を中心としたその周囲箇所におけるコンクリートの破壊耐力を向上させることができる。
【発明の効果】
【００１５】
本発明であれば、延設方向と水平に交差する方向に他のプレキャストコンクリート基礎を接合させるための接合部材を備えるプレキャストコンクリート基礎において、上記接合部材に棒状部材を取り付けることが容易であって当該接合部材を嵩張ったものとしない等の諸効果を奏する。
【図面の簡単な説明】
【００１６】
【図１】本発明の実施形態に係るプレキャストコンクリート基礎の一例を示す図であって、同図（Ａ）は平面図、同図（Ｂ）は側面図である。
【図２】同図（Ａ）は図１（Ａ）の平面視で配筋を示した説明図であり、同図（Ｂ）は図１（Ｂ）の側面視で配筋を示した説明図である。
【図３】図１のプレキャストコンクリート基礎で用いた接合部材の本体部を拡大して示した図であって、同図（Ａ）は平面図、同図（Ｂ）は側面図、同図（Ｃ）は正面図である。
【図４】図１のプレキャストコンクリート基礎で用いた接合部材の棒状部材を拡大して示した図であって、同図（Ａ）は正面図、同図（Ｂ）は側面図である。
【図５】同図（Ａ）は図２（Ａ）の一部配筋を拡大して示した説明図であり、同図（Ｂ）は図１（Ｂ）の一部配筋を拡大示した説明図であり、胴図（Ｃ）は同図（Ｂ）を反転して示した説明図である。
【図６】図５（Ｂ）において鍔状部からの４５度投影領域を示した説明図である。
【図７】同図（Ａ）は図５のＡ―Ａ矢視の配筋説明図であり、同図（Ｂ）は同Ｂ―Ｂ矢視の配筋説明図である。
【発明を実施するための形態】
【００１７】
以下、この発明の実施の形態を添付図面に基づいて説明する。
図１（Ａ）、図１（Ｂ）および図２（Ａ）、図２（Ｂ）に示しているように、この実施形態にかかるプレキャストコンクリート基礎１は、布基礎の立上部(以下、基礎立上部という。)を成すものであり、その下部にはフーチング部は形成されていない。そして、上記基礎立上部の上部側に主筋である上端筋１１、１２がコンクリートに埋め込まれている。上記上端筋１１、１２は、鉛直方向に離間し、上記上端筋１１が上記上端筋１２よりも上側に位置し、平面視で重なるように設けられている。そして、このプレキャストコンクリート基礎１は、基礎立上部の下方において外部に露出するように下側主筋となる下端筋１３を備えており、この下端筋１３が現場において打設形成されるフーチング部内に埋設される。また、上記上端筋１１、１２と上記下端筋１３とを連結する縦筋１４が、基礎立上部の延設方向に所定間隔をおいて溶接等により設けられている。
【００１８】
また、上記プレキャストコンクリート基礎１は、その延設方向の端部側や途中箇所であって上記延設方向と水平に交差する方向に他のプレキャストコンクリート基礎を接合させるための接合部材２を備えている。この接合部材２の配置高さは、例えば、上記上端筋１１よりも下で上記上端筋１２よりも上となる位置に設定される。また、上記接合部材２の本体部２０（図３等参照）は、例えば、上記延設方向に平行な上記基礎立上部における立上面（基礎立上部の側面）のうちの片面の側に設けられる。また、上記接合部材２の本体部２０は、横断面で略Ｔ字状に凹状の接合部２０ａが形成された雌型（雄形とすることも可能である）とされている。
【００１９】
なお、このプレキャストコンクリート基礎１の他方の端部箇所には、延設方向に他のプレキャストコンクリート基礎を接合させるための接合部材３１が設けられている。また、上記接合部材２が設けられる箇所には、鉛直方向に縦アンカーボルト１５が埋設されている。上記縦アンカーボルト１５の上端(例えば、ナット部からなる)は上記プレキャストコンクリート基礎１の上端と略面一にされている。
【００２０】
図３（Ａ）、図３（Ｂ）、図３（Ｃ）および図４（Ａ）、図４（Ｂ）にも示すように、上記接合部材２は、上記接合部２０ａおよび雌螺子２０ｂが形成された本体部２０と、この本体部２０から上記延設方向に水平に交差する方向に延びる上記棒状部材２１とを備える。上記棒状部材２１の棒状部本体２１０の一端側には雄螺子２１ａが切られており、この雄螺子２１ａが上記接合部材２における本体部２０の雌螺子２０ｂに螺合される。また、上記棒状部材２１には、上記棒状部本体２１０から張り出す円形の鍔状部２１ｂが形成されており、この鍔状部２１ｂの直径は上記棒状部本体２１０（雄螺子２１ａ）の直径よりも大きくされている。また、上記鍔状部２１ｂは、かぶり厚を厚確保しつつ上記本体部２０から極力遠くに位置するのが望ましい。また、この例では、上記鍔状部２１ｂは、上記上端筋１１、１２の略中間部に位置している。
【００２１】
なお、上記鍔状部２１ｂには、六角レンチ等の締め付け具が入る凹部が形成されていてもよい。また、上記鍔状部２１ｂは２段に形成されているが、このような２段形状に限らない。また、一般の規格ボルトを上記棒状部材２１として用いることも可能である。また、上記棒状部材２１の本数は１本でもよいし、３本以上でもよい。また、複数本の上記棒状部材２１を斜めに配置してもよい。上記棒状部材２１を複数本とする場合には、その間に上記縦アンカーボルト１５が位置するのがよい。
【００２２】
図５（Ａ）、図５（Ｂ）、図５（Ｃ）にも示すように、上記接合部材２は、２本の棒状部材２１を、水平面内で互いに離間させて備えている。また、上記縦アンカーボルト１５は、上記２本の棒状部材２１の間に通されている。上記プレキャストコンクリート基礎１の製作時には、上記接合部材２を、型枠に留め付けておくことができる。また、上記上端筋１１、１２と平行でこれらの間を通るように水平配置された直交筋（差し筋）４２が設けられている。この直交筋４２は、上記棒状部材２１の下側で当該棒状部材２１に直交する。さらに、上記直交筋４２は、螺旋形状を有するスパイラル筋４３内に位置しており、このスパイラル筋４３を番線等で支持することもできる。上記スパイラル筋４３は、上記棒状部材２１の上記棒状部本体２１０を基準軸に上記鍔状部２１ｂから上記接合部材２側に４５度で投影される領域（図６中の二点鎖線参照）に重なるように設けられているとともに、上記２本の上端筋１１、１２の間を通るように水平に設けられている。
【００２３】
なお、上記直交筋４２は、他の鉄筋に番線等で連結されて設けられることとしてもよい。また、上記スパイラル筋４３の断面形状は、円形でもよいし、角形でもよい。また、上記スパイラル筋４３は、上記接合部材２を境に分割されているが、このような分割されない構造とすることもできる。上記スパイラル筋４３を分割しない構造の場合、上記直交筋４２を省くことが可能である一方、分割される場合には上記直交筋４２を設ける構造とするのが望ましい。
【００２４】
また、図６および図７（Ａ）、図７（Ｂ）に示すように、上記直交筋４２は、上記棒状部材２１の上記棒状部本体２１０を基準軸に上記鍔状部２１ｂから上記接合部材２側に４５度で投影される領域（図６中の二点鎖線参照）に、重なるように設けられている。望ましくは、上記直交筋４２の長さは、上記プレキャストコンクリート基礎１の立ち上げ面での上記投影面の直径よりも長いのが望ましく、さらには、上記投影面の直径の２倍以上の長さを有するのがより望ましい。
【００２５】
上記の構成であれば、上記プレキャストコンクリート基礎１を水平に交差状に接合するための接合部材２を、上記棒状部材２１を用いて行うことができ、Ｌ字状に曲げた鉄筋を設けなくてもよい。上記棒状部材２１を備える上記接合部材２は、Ｌ字状の鉄筋よりも嵩張らずに保管することが可能である。
【００２６】
上記接合部材２が、上記鍔状部２１ｂが互いに干渉しないように上記棒状部材２１を複数備えていると、複数の棒状部材２１を備えることで、コンクリートによる上記接合部材２の固定がより強固に行えることになる。
【００２７】
上記接合部材２が、上記延設方向に平行な上記基礎立上部における立上面のうちの片面の側に設けられていてもよく、このような構造において、上記鍔状部２１ｂのコンクリートの適切なかぶり厚を確保しつつ、上記鍔状部２１ｂによって上記接合部材２を中心としたその周囲箇所におけるコンクリートの破壊耐力を向上させることが可能である。ここで、従来項で説明したＬ字形状の鉄筋で定着を行う構造では、布基礎のようなコンクリート幅が狭い基礎では、十分なかぶり厚を確保できないことが原因で十分に破壊耐力が得られないと考えられる。また、Ｌ字形状の鉄筋で定着を行う構造では、コンクリートの圧縮力が偏った方向に伝達されてしまうのに対し、上記接合部材２では、上記棒状部材２１の鍔状部２１ｂにより、圧縮力の伝達に偏りが生じ難いようにできるので、局所的な破壊耐力の低下を回避できるようになる。
【００２８】
上記棒状部材２１の上記棒状部本体２１０を基準軸にして上記鍔状部２１ｂから上記接合部材側に４５度で投影される領域に重なるように、上記スパイラル筋４３が設けられていると、上記スパイラル筋４３により、上記接合部材２を中心としたその周囲箇所におけるコンクリートの破壊耐力を向上させることができる。
【００２９】
上記スパイラル筋４３が上記接合部材２を境に分割されていると、上記スパイラル筋４３を装着する作業が容易になる。
【００３０】
上記棒状部材２１の軸を基準にして上記鍔状部２１ｂから上記接合部材２側に４５度で投影される領域に重なるように、上記直交筋４２が設けられていると、上記接合部材２を中心としたその周囲箇所におけるコンクリートの破壊耐力を向上させることができる。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３２】
１      ：プレキャストコンクリート基礎
２      ：接合部材
１１    ：上端筋
１２    ：上端筋
１３    ：下端筋
１４    ：縦筋
１５    ：縦アンカーボルト
２０    ：本体部
２０ａ  ：接合部
２０ｂ  ：雌螺子
２１    ：棒状部材
２１ａ  ：雄螺子
２１ｂ  ：鍔状部
３１    ：接合部材
４２    ：直交筋
４３    ：スパイラル筋
２１０  ：棒状部本体
【図１】
2020033868.tif 000003
【図２】
2020033868.tif 000004
【図３】
2020033868.tif 000005
【図４】
2020033868.tif 000006
【図５】
2020033868.tif 000007
【図６】
2020033868.tif 000008
【図７】
2020033868.tif 000009